(57)【要約】      （修正有）【課題】移動体に設置された放送局が移動体内で受信機のユーザーに対してデジタル放送を提供する際に、移動先の地域での既存の放送局との混信を回避する装置及びシステムを提供する。【解決手段】移動放送局装置１は、車両３に放送局として設置され、車両３内の受信機２にデジタル放送を提供する。この移動放送局装置１は、車両３が第１地域Ａ内を移動しているときに、第１地域Ａを放送エリアとする放送局により使用されていない第１チャンネルを使用して放送信号を送信し、第１地域Ａから第２地域Ｂに移動するタイミングでチャンネル切替促進情報を放送信号に付加する。受信機２Ａ、２Ｂは、放送信号に付加されたチャンネル切替促進情報に応じて、第１チャンネルから、第２地域Ｂを放送エリアとする放送局により使用されていない第２チャンネルに切り替える。【選択図】図１
2016092598.tif 000002
【特許請求の範囲】
【請求項１】
移動体に放送局として設置され、前記移動体内の受信機に対してデジタル放送を提供する移動放送局装置であって、
前記移動体が第１地域内を移動しているときに、前記第１地域を放送エリアとする放送局により使用されていない第１チャンネルを使用して放送信号を送信する送信部と、
前記第１地域から第２地域に移動するタイミングで前記受信機が前記第１チャンネルから前記第２地域を放送エリアとする放送局により使用されていない第２チャンネルに切り替えるためのチャンネル切替促進情報を前記放送信号に付加する制御部と、
を具備することを特徴とする移動放送局装置。
【請求項２】
前記移動体の位置と移動方向とを検出する位置検出部と、
複数の放送局の放送エリアである複数の地域を表す情報と各放送局が使用している複数のチャンネルを表す情報とを管理する既存放送局情報管理部と、
を更に具備し、
前記既存放送局情報管理部は、
前記タイミングとして、前記移動体が前記第１地域内の前記移動体の位置から前記複数の地域のうちの前記移動方向にある前記第２地域に移動する際に、前記第２地域で前記第１チャンネルが使用できなくなるタイミングを前記制御部に通知し、
前記第２チャンネルとして、前記複数のチャンネルのうちの前記第２地域を放送エリアとする放送局により使用されていないチャンネルを前記制御部に通知することを特徴とする請求項１に記載の移動放送局装置。
【請求項３】
前記放送信号は、物理チャンネル指定選局関数が記述されたＢＭＬ（Ｂｒｏａｄｃａｓｔ  Ｍａｒｋｕｐ  Ｌａｎｇｕａｇｅ）文書を含み、
前記物理チャンネル指定選局関数は、前記チャンネル切替促進情報として、前記受信機のうちの前記ＢＭＬ文書に対応した受信機が指定時刻に前記第２チャンネルを選局するための情報を示していることを特徴とする請求項１または２に記載の移動放送局装置。
【請求項４】
前記放送信号は、地上分配システム記述子を含むＮＩＴ（Ｎｅｔｗｏｒｋ  Ｉｎｆｏｒｍａｔｉｏｎ  Ｔａｂｌｅ）を含み、
前記地上分配システム記述子は、前記チャンネル切替促進情報として、前記受信機のうちの前記ＢＭＬ文書に対応しない受信機が前記第２地域で前記第２チャンネルを選局するための情報を示していることを特徴とする請求項１から３のいずれかに記載の移動放送局装置。
【請求項５】
受信機と、
移動体に放送局として設置され、前記移動体内の前記受信機に対してデジタル放送を提供する移動放送局装置と、
を具備し、
前記移動放送局装置は、
前記移動体が第１地域内を移動しているときに、前記第１地域を放送エリアとする放送局により使用されていない第１チャンネルを使用して放送信号を送信する送信部と、
前記第１地域から第２地域に移動するタイミングで前記受信機が前記第１チャンネルから前記第２地域を放送エリアとする放送局により使用されていない第２チャンネルに切り替えるためのチャンネル切替促進情報を前記放送信号に付加する制御部と、
を具備することを特徴とする移動放送システム。
【発明の詳細な説明】
【技術分野】
【０００１】
本発明は、移動体に放送局として設置される移動放送局装置、及び、その移動放送局装置と受信機とを具備する移動放送システムに関する。
【背景技術】
【０００２】
非特許文献１に記載されているように、地上デジタル放送に割り当てられたＵＨＦ帯のホワイトスペースを活用した地上デジタル放送（エリア放送）の導入が進められていて、その運用は非特許文献２の運用規定により規定されている。現在のところ、エリア放送局は固定された位置から放送することが前提となっている。エリア放送で使用されるチャンネルは、放送局を開設しようとする者が総務省に申請して割り当てられる。
【０００３】
一方、微弱電波を使用する場合、デジタル放送の送信に免許は不要であることから、例えば、移動体（例えば、電車）に放送局として移動放送局装置を設置し、移動放送局装置が移動体内（電車の車両内）で、受信機（端末）のユーザー（受信機を携帯している乗客）に対してオリジナルなデジタル放送を提供するような放送サービスも可能である。
【先行技術文献】
【特許文献】
【０００４】
【非特許文献１】総務省  情報流通行政局「エリア放送  参入マニュアル（第４．１版）」（２０１４年７月１日）
【非特許文献２】一般社団法人  電波産業会「エリア放送運用規定」技術資料番号  ＡＲＩＢ  ＴＲ−Ｂ３５
【発明の概要】
【発明が解決しようとする課題】
【０００５】
移動放送局装置は、微弱電波を使用する放送においても、公共放送あるいはその地域のエリア放送が使用していないチャンネルを使用する必要がある。しかしながら、移動放送局装置は、移動体の移動距離が長くなると、使用していたチャンネルが、移動先の地域で公共放送あるいはエリア放送が使用するチャンネルと同一のチャンネルとなる可能性がある。この場合、移動先の地域での既存の放送局との混信（放送波の衝突）により継続して視聴することが困難となる。このように、現在の地上デジタル放送では、移動体の移動に伴ってホワイトスペースのチャンネルが変わる状況で、放送局（移動放送局装置）も受信機と共に移動体により移動する場合、継続した視聴ができないという課題がある。
【０００６】
本発明は、上記の点に鑑みてなされたものであり、移動先での既存の放送局との混信を回避しながら放送サービスを提供することができる移動放送局装置、及び、移動放送システムを提供することを目的とする。
【課題を解決するための手段】
【０００７】
本発明の第１の観点では、移動放送局装置は、移動体に放送局として設置され、前記移動体内の受信機に対してデジタル放送を提供する移動放送局装置であって、前記移動体が第１地域内を移動しているときに、前記第１地域を放送エリアとする放送局により使用されていない第１チャンネルを使用して放送信号を送信する送信部と、前記第１地域から第２地域に移動するタイミングで前記受信機が前記第１チャンネルから前記第２地域を放送エリアとする放送局により使用されていない第２チャンネルに切り替えるためのチャンネル切替促進情報を前記放送信号に付加する制御部と、を具備することを特徴とする。
【０００８】
本発明の第２の観点では、第１の観点において、前記移動体の位置と移動方向とを検出する位置検出部と、複数の放送局の放送エリアである複数の地域を表す情報と各放送局が使用している複数のチャンネルを表す情報とを管理する既存放送局情報管理部と、を更に具備し、前記既存放送局情報管理部は、前記タイミングとして、前記移動体が前記第１地域内の前記移動体の位置から前記複数の地域のうちの前記移動方向にある前記第２地域に移動する際に、前記第２地域で前記第１チャンネルが使用できなくなるタイミングを前記制御部に通知し、前記第２チャンネルとして、前記複数のチャンネルのうちの前記第２地域を放送エリアとする放送局により使用されていないチャンネルを前記制御部に通知することを特徴とする。
【０００９】
本発明の第３の観点では、第１の観点または第２の観点において、前記放送信号は、物理チャンネル指定選局関数が記述されたＢＭＬ（Ｂｒｏａｄｃａｓｔ  Ｍａｒｋｕｐ  Ｌａｎｇｕａｇｅ）文書を含み、前記物理チャンネル指定選局関数は、前記チャンネル切替促進情報として、前記受信機のうちの前記ＢＭＬ文書に対応した受信機が指定時刻に前記第２チャンネルを選局するための情報を示していることを特徴とする。
【００１０】
本発明の第４の観点では、第１の観点から第３の観点のいずれかにおいて、前記放送信号は、地上分配システム記述子を含むＮＩＴ（Ｎｅｔｗｏｒｋ  Ｉｎｆｏｒｍａｔｉｏｎ  Ｔａｂｌｅ）を含み、前記地上分配システム記述子は、前記チャンネル切替促進情報として、前記受信機のうちの前記ＢＭＬ文書に対応しない受信機が前記第２地域で前記第２チャンネルを選局するための情報を示していることを特徴とする。
【００１１】
本発明の第５の観点では、移動放送システムは、受信機と、移動体に放送局として設置され、前記移動体内の前記受信機に対してデジタル放送を提供する移動放送局装置と、を具備し、前記移動放送局装置は、前記移動体が第１地域内を移動しているときに、前記第１地域を放送エリアとする放送局により使用されていない第１チャンネルを使用して放送信号を送信する送信部と、前記第１地域から第２地域に移動するタイミングで前記受信機が前記第１チャンネルから前記第２地域を放送エリアとする放送局により使用されていない第２チャンネルに切り替えるためのチャンネル切替促進情報を前記放送信号に付加する制御部と、を具備することを特徴とする。
【００１２】
本発明の第６の観点では、使用チャンネル変更方法は、移動体に放送局として設置された移動放送局装置が、前記移動体内の前記受信機に対して使用するチャンネルを変更する方法であって、前記移動体が第１地域内を移動しているときに、前記第１地域を放送エリアとする放送局により使用されていない第１チャンネルを使用して放送信号を送信するステップと、前記第１地域から第２地域に移動するタイミングで前記受信機が前記第１チャンネルから前記第２地域を放送エリアとする放送局により使用されていない第２チャンネルに切り替えるためのチャンネル切替促進情報を前記放送信号に付加するステップと、を具備することを特徴とする。
【００１３】
本発明の第７の観点では、コンピュータプログラムは、第６の観点に記載された前記使用チャンネル変更方法の各ステップをコンピュータに実行させることを特徴とする。
【発明の効果】
【００１４】
本発明によれば、移動放送局装置が、第１地域から移動先の第２地域に移動するタイミングで受信機が第１チャンネルから第２地域を放送エリアとする放送局により使用されていない第２チャンネルに切り替えるためのチャンネル切替促進情報を放送信号に付加することにより、移動放送局装置と受信機とが移動経路（第２地域）上で使用されているチャンネル（第１チャンネル）を避けながら移動体により移動先（第２地域）に移動するので、移動先（第２地域）での既存の放送局との混信（放送波の衝突）を回避しながら放送サービスを提供することができる。
【図面の簡単な説明】
【００１５】
【図１】本発明の実施形態に係る移動放送局装置１が適用される移動放送システムの動作概要として、（動作Ｉ）車両３が地域Ａ内を移動しているときに、地域Ａを放送エリアとする放送局がチャンネルａを使用していない場合と、（動作ＩＩ）車両３が地域Ａから地域Ｂに移動しようとしているときに、地域Ｂを放送エリアとする放送局がチャンネルａを使用していて、かつ、チャンネルｂを使用していない場合と、（動作ＩＩＩ）車両３が地域Ｂ内を移動する場合と、を説明するための図である。
【図２】本発明の実施形態に係る移動放送局装置１、及び、受信機２（受信機２Ａ、２Ｂ）の構成を示すブロック図である。
【図３】本発明の実施形態に係る移動放送局装置１の動作として、（動作Ｉ）を示すシーケンス図である。
【図４】本発明の実施形態に係る移動放送局装置１の動作として、（動作ＩＩ）及び（動作ＩＩＩ）を示すシーケンス図である。
【図５】既存放送局情報管理部１４の既存放送局情報データベース１４Ａに格納された情報を表す図である。
【図６】本発明の実施形態に係る移動放送局装置１の動作として、（動作Ｉ）及び（動作ＩＩ）において、放送開始指示が行なわれてからチャンネル切替が行なわれるまでの動作を示すフローチャートである。
【図７】本発明の実施形態に係る移動放送局装置１、及び、受信機２（受信機２Ａ、２Ｂ）の動作として、（動作Ｉ）〜（動作ＩＩＩ）において、使用チャンネルがチャンネルａからチャンネルｂに変更されるまでの動作を示すシーケンス図である。
【図８】本発明の実施形態に係る移動放送局装置１におけるＢＭＬ文書更新処理（ＴＳ合成部１７の処理）を説明するための図である。
【図９】本発明の実施形態に係る移動放送局装置１におけるＮＩＴの地上分配システム記述子を説明するための図である。
【発明を実施するための形態】
【００１６】
以下、図面を参照しながら本発明の実施形態について説明する。
【００１７】
図１は、本発明の実施形態に係る移動放送局装置１が適用される移動放送システムの動作概要を説明するための図である。その移動放送システムは、移動放送局装置１と、複数の受信機とを具備している。複数の受信機として、受信機２Ａ、２Ｂを例にする。
【００１８】
移動放送局装置１は、例えば、移動体である電車に放送局として設置され、電車の車両３内で、受信機２Ａ、２Ｂ（端末）のユーザー（受信機２Ａ、２Ｂを携帯している乗客）に対して、オリジナルなデジタル放送を提供する。この場合、移動放送局装置１と受信機２Ａ、２Ｂとが車両３とともに移動する。
【００１９】
移動放送局装置１は、放送中、常時、車両３の位置を表す位置情報と、車両３の移動方向を表す移動情報と、車両３の移動速度を表す速度情報とを取得し、車両３が、上記車両３の位置から、上記移動方向にある移動先に、上記移動速度により移動する際に、現在使用中のチャンネルが移動先で使用できなくなるタイミングを予測する。そこで、移動放送局装置１は、そのタイミングに先立って、受信機２Ａ、２Ｂが現在使用中のチャンネルから移動先の放送局により使用されていないチャンネルに切り替えるためのチャンネル切替促進情報を放送波（放送信号）に付加し、受信機２Ａ、２Ｂにチャンネル切替を促す。受信機２Ａ、２Ｂは、放送信号に付加されたチャンネル切替促進情報によりチャンネルを切り替える。
【００２０】
ここで、移動放送システムの動作概要として、移動放送局装置１と受信機２Ａ、２Ｂとが車両３とともに移動するときの動作概要を以下のように分けて説明する。
（動作Ｉ）  車両３が地域Ａ内を移動しているときに、地域Ａを放送エリアとする放送局がチャンネルａを使用していない場合（図１の左側の部分）
（動作ＩＩ）  車両３が地域Ａから地域Ｂに移動しようとしているときに、地域Ｂを放送エリアとする放送局がチャンネルａを使用していて、かつ、チャンネルｂを使用していない場合（図１の中央部分）
（動作ＩＩＩ）  車両３が地域Ｂ内を移動する場合（図１の右側の部分）
【００２１】
まず、（動作Ｉ）について説明する。
【００２２】
移動放送局装置１は、ＧＰＳ（Ｇｌｏｂａｌ  Ｐｏｓｉｔｉｏｎｉｎｇ  Ｓｙｓｔｅｍ）、地磁気センサー、加速度センサー等により、常時、車両３の位置（位置情報）、移動方向（移動情報）、移動速度（速度情報）を取得している。ここで、車両３の移動速度が一定である場合は、速度情報を取得しなくてもよい。また、移動放送局装置１は、複数の放送局の放送エリアである複数の地域を表す情報と、各放送局（公共放送、エリア放送の放送局も含む）が使用している複数のチャンネルを表す情報とを管理している。すなわち、移動放送局装置１は、各地域におけるホワイトスペース（公共放送、エリア放送が使用していないチャンネル）の情報を予め認識している。
【００２３】
この場合、移動放送局装置１は、車両３が地域Ａ内を移動しているときに、地域Ａを放送エリアとする放送局により使用されていないチャンネルａを使用して、放送信号を送信する。受信機２Ａ、２Ｂは、テレビ機能の起動時に、車両３の放送局（移動放送局装置１）の放送を受信する場合、チャンネルサーチを行なう。受信機２Ａ、２Ｂは、チャンネルａを使用して、放送信号を受信する。
【００２４】
次に、（動作ＩＩ）について説明する。
【００２５】
移動放送局装置１は、車両３が、地域Ａ内の上記車両３の位置から、複数の地域のうちの上記移動方向にある地域Ｂに、上記移動速度により移動する際に、移動先の地域Ｂで現在使用中のチャンネルａが（その地域のホワイトスペースでないために）使用できなくなるタイミング（時刻）を判断した場合、受信機２Ａ、２Ｂが現在使用中のチャンネルａから移動先の地域Ｂを放送エリアとする放送局により使用されていないチャンネルｂに切り替えるためのチャンネル切替促進情報を、放送信号であるＴＳ（Ｔｒａｎｓｐｏｒｔ  Ｓｔｒｅａｍ）（以下、放送ＴＳと称する）に付加する。
【００２６】
チャンネル切替促進情報を放送ＴＳに付加する方法としては、以下のものが挙げられる。
（方法ｉ）  ＢＭＬ（Ｂｒｏａｄｃａｓｔ  Ｍａｒｋｕｐ  Ｌａｎｇｕａｇｅ）文書を使用する場合
（方法ｉｉ）  ＮＩＴ（Ｎｅｔｗｏｒｋ  Ｉｎｆｏｒｍａｔｉｏｎ  Ｔａｂｌｅ）を使用する場合
【００２７】
（方法ｉ）について説明する。
【００２８】
ＢＭＬ文書は、データ放送向けの記述言語として使用される。データ放送は、放送コンテンツと連携するコンテンツである。ＢＭＬはＡＲＩＢ（登録商標）により策定されている。ＢＭＬ文書は、受信機が物理チャンネル指定選局関数（ｘ＿ＤＰＡ＿ｔｕｎｅＷｉｔｈＲＦ）によって物理チャンネルを直接指定して選局できる文書に更新される。移動放送局装置１は、イベントメッセージによる時刻指定や、ＢＭＬ文書を指定時刻にタイマ割込みを発生させるような記載とする等の方法で、受信機が指定時刻に上記物理チャンネル指定選局関数を実行させるように制御する。この方法では、受信機２Ａ、２ＢのうちのＢＭＬ文書に対応した受信機（例えば、受信機２Ａ）が、指定時刻に、指定された周波数（例えば、チャンネルｂ）に選局する。
【００２９】
（方法ｉｉ）について説明する。
【００３０】
ＮＩＴは、放送ＴＳのＴＳパケットのＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）の１つである。ＮＩＴは、地上分配システム記述子を含んでいる。地上分配システム記述子には、移動先（地域Ｂ）で使用する周波数（例えば、チャンネルｂ）が記述される。すなわち、地上分配システム記述子は、受信機２Ａ、２ＢのうちのＢＭＬ文書に対応しない受信機（例えば、受信機２Ｂ）が、移動先（地域Ｂ）で使用するチャンネル（チャンネルｂ）を選局するための情報を示している。移動放送局装置１は、ＮＩＴの地上分配システム記述子を更新し、ＢＭＬ文書に対応しない受信機２Ｂが移動先（地域Ｂ）で使用するチャンネル（チャンネルｂ）を選局させるようにする。
【００３１】
この場合、移動放送局装置１は、放送ＴＳに上記チャンネル切替促進情報を追加後、使用中のチャンネル（チャンネルａ）で混信が発生する前に、チャンネルａを使用して、上記チャンネル切替促進情報が付加された放送ＴＳを送信する。受信機２Ａ、２Ｂは、そのチャンネルａを使用して放送ＴＳを受信し、放送ＴＳに付加されたチャンネル切替促進情報に従って、上記タイミングでチャンネルａを移動先での適切なチャンネル（チャンネルｂ）に切り替える。
【００３２】
ここで、ＢＭＬ文書に対応している受信機２Ａは、放送ＴＳに付加されたチャンネル切替促進情報として、データ放送のＢＭＬ文書の記述に従って、指定時刻に物理チャンネル指定選局関数を実行し、指定チャンネル（チャンネルｂ）を選局する。これにより、受信機２Ａのユーザーは、放送ＴＳの放送コンテンツの視聴を継続することができる。
【００３３】
一方、ＢＭＬ文書に対応していない受信機２Ｂは、受信中の放送が圏外となったときに、放送ＴＳに付加されたチャンネル切替促進情報として、放送ＴＳのＴＳパケットに含まれるＮＩＴの地上分配システム記述子に従って、移動先（地域Ｂ）で使用するチャンネル（チャンネルｂ）を選局する。これにより、受信機２Ｂのユーザーは、放送ＴＳの放送コンテンツの視聴を継続することができる。この動作は放送波の内容（ＰＳＩ／ＳＩより取得されるサービスＩＤ等の情報）により微弱電波の放送局（移動放送局装置１）からの受信時のみと限定する（通常の放送受信時は抑制する）。
【００３４】
次に、（動作ＩＩＩ）について説明する。
【００３５】
移動放送局装置１は、上記タイミングの後、チャンネルｂを使用して、上記チャンネル切替促進情報を付加しない放送ＴＳを送信する。すなわち、移動放送局装置１は、（方法ｉ）においては、ＢＭＬ文書を更新前のＢＭＬ文書に戻し、（方法ｉｉ）においては、ＮＩＴの地上分配システム記述子から変更前の周波数（チャンネルａ）の記載を削除する。
【００３６】
図２は、本発明の実施形態に係る移動放送局装置１、及び、受信機２（受信機２Ａ、２Ｂ）の構成を示すブロック図である。
【００３７】
まず、本発明の実施形態に係る移動放送局装置１の構成について説明する。
【００３８】
移動放送局装置１は、位置検出部１１と、ユーザーインターフェース部１２と、既存放送局情報管理部１４と、制御部１６と、ＴＳ合成部１７と、ＴＳ送信部１８と、記憶部１９とを具備している。記憶部１９は、コンテンツ記憶部１３と、チャンネル切替用ＢＭＬ記憶部１５とを備えている。制御部１６は、例えば、ＣＰＵ（Ｃｅｎｔｒａｌ  Ｐｒｏｃｅｓｓｉｎｇ  Ｕｎｉｔ）である。記憶部１９には、コンピュータが実行可能なコンピュータプログラムが格納され、制御部１６は、記憶部１９からコンピュータプログラムを読み出して実行する。
【００３９】
位置検出部１１は、ＧＰＳ、地磁気センサー、加速度センサー等により移動放送局装置１の現在位置（すなわち、車両３の位置）、移動方向、移動速度を測定（検出）して、車両３の位置を表す位置情報と、車両３の移動方向を表す移動情報と、車両３の移動速度を表す速度情報とを取得する。ここで、車両３の移動速度が一定である場合は、位置検出部１１は、加速度センサーを備えていなくてもよい。
【００４０】
ユーザーインターフェース部１２において、移動放送局装置１のユーザーは、ユーザーインターフェース部１２を介して主に次の操作を行なう。例えば、移動放送局装置１のユーザーは、コンテンツ記憶部１３に記憶されたコンテンツから放送するコンテンツを選択する。また、移動放送局装置１のユーザーは、既存放送局情報データベース１４Ａを更新する。
【００４１】
コンテンツ記憶部１３は、移動放送局装置１が送信するコンテンツを記憶する。記憶する形式はＴＳ形式でもよいし、放送コンテンツ（映像データ、音声データ）やデータ放送（ＢＭＬ文書）等の素材ごとにＥＳ（Ｅｌｅｍｅｎｔａｒｙ  Ｓｔｒｅａｍ）形式で記憶する等他の形式でもよい。コンテンツ記憶部１３については移動放送局装置１の外部にその機能を設けてもよい。その場合、例えばインターネットで接続されるサーバー上にコンテンツを格納し、制御部１６が通信によってコンテンツを取得するような構成となる。
【００４２】
既存放送局情報管理部１４は、複数の放送局を表す情報（放送局ＩＤ）と、複数の放送局（公共放送、エリア放送の放送局も含む）がカバーする放送エリアである複数の地域を表す情報（エリアＩＤ、位置（北緯・東経）、エリア半径）と、各放送局が使用している複数のチャンネルを表す情報（使用チャンネルの番号、出力の値）とを管理している。具体的には、既存放送局情報管理部１４は、放送局ＩＤ、エリアＩＤ、位置（北緯・東経）、使用チャンネル、出力、エリア半径が格納された既存放送局情報データベース１４Ａ（図５参照）を備えている。既存放送局情報管理部１４、または、既存放送局情報データベース１４Ａについては、移動放送局装置１の外部にその機能を設けてもよい。
【００４３】
既存放送局情報管理部１４は、既存放送局情報データベース１４Ａを参照して、上記タイミングとして、車両３が、地域Ａ内の上記車両３の位置（位置情報）から、複数の地域のうちの車両３の移動方向（移動情報）にある地域Ｂに、車両３の移動速度（速度情報）により移動する際に、地域Ｂでチャンネルａが使用できなくなるタイミング（時刻）を制御部１６に通知する。また、既存放送局情報管理部１４は、既存放送局情報データベース１４Ａを参照して、上記チャンネルｂとして、複数のチャンネルのうちの、地域Ｂを放送エリアとする放送局により使用されていないチャンネルを制御部１６に通知する。具体的には、既存放送局情報管理部１４は、複数のチャンネルのうちの、地域Ｂを放送エリアとする放送局により使用されていない候補チャンネルを表す使用可能チャンネルリストを生成し、使用可能チャンネルリストの候補チャンネルのうちの１つのチャンネル（例えば、チャンネルｂ）を制御部１６に選択させる。
【００４４】
既存放送局情報データベース１４Ａは、放送局が新たに開局された場合や周波数再編が行なわれた場合には更新される。既存放送局情報データベース１４Ａの更新に必要な情報はユーザーインターフェース部１２から直接入力してもよいし、制御部１６がインターネットや移動放送局装置１に接続する外部機器から取得してもよい。既存放送局情報データベース１４Ａの更新用のインターフェースについては、図示を省略する。また、既存放送局情報データベース１４Ａは、インターネットで接続されるサーバー上に格納して、必要なときに通信によりアクセスする構成としてもよい。
【００４５】
チャンネル切替用ＢＭＬ記憶部１５は、データ放送のＢＭＬ文書のテンプレートを記憶する。チャンネル切替用ＢＭＬ記憶部１５については移動放送局装置１の外部にその機能を設けてもよい。
【００４６】
制御部１６は、既存放送局情報管理部１４から使用可能チャンネルリストを受け取り、その使用可能チャンネルリストの候補チャンネルのうちの１つのチャンネルの番号として、例えば、チャンネルｂのチャンネル番号を選択する。このとき、制御部１６は、上記タイミングで、受信機２Ａ、２Ｂがチャンネルａからチャンネルｂに切り替えるためのチャンネル切替促進情報を生成する。上述のように、制御部１６は、（方法ｉ）においては、チャンネル切替用ＢＭＬ記憶部１５のＢＭＬ文書のテンプレートに適切な値（指定時刻、指定チャンネル）を設定することにより、ＢＭＬ文書の更新として、指定時刻に物理チャンネル指定選局関数を実行して指定チャンネル（チャンネルｂ）を選局するためのＢＭＬ文書を生成し、（方法ｉｉ）においては、放送ＴＳのＴＳパケットに含まれるＮＩＴの地上分配システム記述子に、移動先（地域Ｂ）で使用するチャンネルの周波数（チャンネルｂの周波数）を記述する。
【００４７】
制御部１６は、上記チャンネル切替促進情報を放送ＴＳに付加するようにＴＳ合成部１７を制御し、チャンネルａを使用して、上記チャンネル切替促進情報が付加された放送ＴＳを送信するようにＴＳ送信部１８を制御する。
【００４８】
また、制御部１６は、車両３が地域Ｂ内を移動するときに、チャンネルｂを使用して、上記チャンネル切替促進情報が付加されない放送ＴＳを送信するようにＴＳ送信部１８を制御する。この場合、制御部１６は、（方法ｉ）においては、チャンネル切替用に差し替えたＢＭＬ文書（更新後のＢＭＬ文書）を差し替え前のＢＭＬ文書（更新前のＢＭＬ文書）に戻し、（方法ｉｉ）においては、ＮＩＴの地上分配システム記述子から変更前の周波数（チャンネルａ）の記載を削除する。
【００４９】
ＴＳ合成部１７は、コンテンツ記憶部１３に格納された放送コンテンツ（映像データ及び音声データを表すコンテンツ）に適切なＰＴＳ（Ｐｒｅｓｅｎｔａｔｉｏｎ  Ｔｉｍｅ  Ｓｔａｍｐ：表示時刻を示す）を挿入し、それらの映像データ及び音声データや、適切な周期で挿入される、ＰＣＲ（Ｐｒｏｇｒａｍ  Ｃｌｏｃｋ  Ｒｅｆｅｒｅｎｃｅ：放送ＴＳの時刻情報）や制御データ等から、送信する放送ＴＳを生成する。チャンネル切替時には、差し替え用のＢＭＬ文書をＤＳＭＣＣセクション化し、それまでの放送ＴＳに含まれていたＢＭＬ文書を表すデータと差し替える。制御部１６から設定される放送コンテンツ（映像データ、音声データ）、ＰＳＩ／ＳＩ、制御データ等をそれぞれ含むＴＳパケットを放送ＴＳ上に配置（配列）するが、放送コンテンツ（映像データ、音声データ）が途絶えるような、いわゆる、アンダーフローが発生する場合にはＴＳパケットの配列の該当箇所にヌルパケットを挿入する。
【００５０】
ＴＳ送信部１８は、ＴＳ合成部１７より入力される放送ＴＳを変調し、放送波として送信する。放送ＴＳ格納用のバッファ（図示しない）を有し、ＴＳ合成部１７は、このバッファに格納した放送ＴＳを順次読み出して、送信する。
【００５１】
次に、受信機２（受信機２Ａ、２Ｂ）の構成について説明する。
【００５２】
受信機２は、記憶部２１と、ユーザーインターフェース部２２と、表示部２３と、スピーカ２４と、ＴＳ受信部２５と、制御部２６とを具備している。制御部２６は、例えば、ＣＰＵである。記憶部２１には、コンピュータが実行可能なコンピュータプログラムが格納され、制御部２６は、記憶部２１からコンピュータプログラムを読み出して実行する。
【００５３】
ユーザーインターフェース部２２において、受信機２のユーザーは、ユーザーインターフェース部２２を用いて各種操作を行なう。制御部２６は、その操作に応じた実行結果を表示部２３、スピーカ２４に出力する。
【００５４】
ＴＳ受信部２５は、移動放送局装置１から送信された放送ＴＳを受信する。制御部２６は、指定チャンネルがチャンネルａである場合、チャンネルａを使用して、放送ＴＳを受信する。制御部２６は、その放送ＴＳをＴＳパケットに分離し、ＴＳパケットから放送コンテンツの映像データ、音声データをデコードし、それぞれ表示部２３、スピーカ２４に出力する。
【００５５】
ＴＳ受信部２５が、チャンネル切替促進情報が付加された放送ＴＳを受信した場合、自身（受信機２）がＢＭＬ文書に対応しているか否かにより、制御部２６の動作は以下のように分けられる。
【００５６】
ここで、受信機２がＢＭＬ文書に対応している場合（受信機２Ａの場合）、受信機２Ａの制御部２６は、放送ＴＳに付加されたチャンネル切替促進情報として、データ放送のＢＭＬ文書の記述に従って、指定時刻に物理チャンネル指定選局関数を実行し、指定のチャンネル（チャンネルｂ）を選局する。また、チャンネルがチャンネルａからチャンネルｂに切り替えられるときに、その旨が受信機２Ａの表示部２３に表示される（図１参照）。
【００５７】
一方、受信機２がＢＭＬ文書に対応していない場合（受信機２Ｂの場合）、受信機２Ｂの制御部２６は、受信中の放送が圏外となったときに、放送ＴＳに付加されたチャンネル切替促進情報として、放送ＴＳのＴＳパケットに含まれるＮＩＴの地上分配システム記述子に従って、移動先（地域Ｂ）で使用するチャンネル（チャンネルｂ）に選局する。
【００５８】
このように、本発明によれば、移動放送局装置１が、地域Ａから移動先の地域Ｂに移動するタイミングで受信機２Ａ、２Ｂがチャンネルａから地域Ｂを放送エリアとする放送局により使用されていないチャンネルｂに切り替えるためのチャンネル切替促進情報を放送ＴＳに付加することにより、移動放送局装置１と受信機２Ａ、２Ｂとが移動経路（地域Ｂ）上で使用されているチャンネル（チャンネルａ）を避けながら移動体により移動するので、移動先（地域Ｂ）での既存の放送局との混信（放送波の衝突）を回避しながら放送サービスを提供することができる。
【００５９】
図３は、本発明の実施形態に係る移動放送局装置１の動作として、（動作Ｉ）を示すシーケンス図である。
【００６０】
ユーザーインターフェース部１２は、移動放送局装置１のユーザーの操作に応じて、制御部１６に対して放送開始指示を行なう（ステップＳ１０１）。ここで、ユーザーは、放送するコンテンツを指定して放送開始を指示する。
【００６１】
制御部１６は、送信開始指示に応じて、位置検出部１１に対して位置情報取得開始指示を行なう（ステップＳ１０２）。
【００６２】
位置検出部１１は、位置情報取得開始指示に応じて、ＧＰＳ、各種センサー（地磁気センサー、加速度センサー）を駆動し、位置情報等（車両３の位置を表す位置情報、移動方向を表す移動情報、移動速度を表す速度情報）の取得を開始する（ステップＳ１０３）。また、車両３の移動速度が一定である場合は、速度情報を取得しなくてもよく、この場合は、車両３の移動速度（速度情報）として設定値が用いられる。
【００６３】
位置検出部１１は、最新の位置情報等の検出が完了した場合（ステップＳ１０４−Ｙｅｓ）、位置情報等（車両３の位置を表す位置情報、移動方向を表す移動情報、移動速度を表す速度情報）を既存放送局情報管理部１４に通知する（ステップＳ１０５）。ここで、初回通知以降については、位置検出部１１は、一定時間間隔（例：１秒）で、位置情報等（車両３の位置、移動方向、移動速度）を通知する。
【００６４】
既存放送局情報管理部１４は、位置検出部１１から通知された位置情報等（車両３の位置、移動方向、移動速度）から、使用可能チャンネルリストを生成する（ステップＳ１０６）。具体的には、既存放送局情報管理部１４は、既存放送局情報データベース１４Ａを参照して、位置検出部１１から通知された位置情報等（車両３の位置、移動方向、移動速度）から、複数のチャンネルのうちの地域Ａを放送エリアとする放送局により使用されていない候補チャンネルを表す使用可能チャンネルリストを生成する。
【００６５】
既存放送局情報管理部１４は、使用可能チャンネルリストを制御部１６に通知する（ステップＳ１０７）。
【００６６】
制御部１６は、既存放送局情報管理部１４から使用可能チャンネルリストを受け取り、その使用可能チャンネルリストの候補チャンネルのうちの１つのチャンネルの番号として、例えば、チャンネルａのチャンネル番号を選択する（ステップＳ１０８）。ここで、既存放送局情報管理部１４が使用可能チャンネルリストの候補チャンネルのうちの１つを制御部１６に通知してもよいが、本実施形態では、既存放送局情報管理部１４が使用可能チャンネルリストを制御部１６に通知し、制御部１６が使用可能チャンネルリストの候補チャンネルの中から１つのチャンネルを選択する、という構成としている。
【００６７】
制御部１６は、使用チャンネルとしてチャンネルａを既存放送局情報管理部１４に通知する（ステップＳ１０９）。ここで、既存放送局情報管理部１４は、使用チャンネルの切替要否判断のため、使用するチャンネルを把握しておく。
【００６８】
制御部１６は、ＴＳ送信部１８に対して、使用チャンネルを設定する（ステップＳ１１０）。
【００６９】
制御部１６は、映像データ、音声データ、ＥＳをどのＰＩＤに割り当てるか決定し、放送ＴＳに挿入される制御データ（ＰＳＩ／ＳＩ）を生成する（ステップＳ１１１）。
【００７０】
制御部１６は、ＴＳ合成部１７に対して、制御データ及び各種パラメータを設定する（ステップＳ１１２）。ここで、各種パラメータとして、各制御データの再送周期、ＰＣＲの再送周期を設定する。
【００７１】
制御部１６は、ＴＳ送信部１８に対して、無線パラメータを設定する（ステップＳ１１３）。ここで、無線パラメータとして、変調方式、ガードインターバル等を設定する。
【００７２】
移動放送局装置１は、放送処理（図３の点線部分）を行なう。ここで、映像データ、音声データについては周期的に読み出しを行なうが、ＢＭＬ文書については必要なファイルを初回に全て読込み、ＴＳ合成部１７でＤＳＭＣＣセクション化し、データカルーセルとして放送ＴＳ内に配置する。
【００７３】
放送処理において、制御部１６は、コンテンツ記憶部１３に対してコンテンツの取得要求を行ない（ステップＳ１１４）、コンテンツ記憶部１３からコンテンツを取得する（ステップＳ１１５）。制御部１６は、取得したコンテンツ（映像データ、音声データ、データ放送）をＴＳ合成部１７に出力する（ステップＳ１１６）。ＴＳ合成部１７は、制御部１６からのコンテンツに基づいて放送ＴＳを生成する（ステップＳ１１７）。ＴＳ合成部１７は、ＴＳ送信部１８のバッファへ書き込みを行ない、ＴＳ送信部１８は、バッファに格納した放送ＴＳを順次読み出して、送信する（ステップＳ１１８）。
【００７４】
図４は、本発明の実施形態に係る移動放送局装置１の動作として、（動作ＩＩ）及び（動作ＩＩＩ）を示すシーケンス図である。ここで、上記放送処理は、下記シーケンス中も並行して実行される。
【００７５】
位置検出部１１は、位置情報等（車両３の位置を表す位置情報、移動方向を表す移動情報、移動速度を表す速度情報）を既存放送局情報管理部１４に通知する（ステップＳ２０１）。
【００７６】
既存放送局情報管理部１４は、一定時間毎に位置検出部１１から通知される位置情報等（車両３の位置、移動方向、移動速度）から、既存放送局情報データベース１４Ａを参照して、現在使用中のチャンネル（チャンネルａ）が継続して使用可能であるか否かを判断する（ステップＳ２０２）。ここで、継続使用可能である場合（ステップＳ２０２−Ｙｅｓ）、上記ステップＳ２０１が実行される。
【００７７】
継続使用可能ではない場合（ステップＳ２０２−Ｎｏ）、既存放送局情報管理部１４は、既存放送局情報データベース１４Ａを参照して、位置検出部１１から通知された位置情報等（車両３の位置、移動方向、移動速度）から、複数のチャンネルのうちの、地域Ｂを放送エリアとする放送局により使用されていない候補チャンネルを表す使用可能チャンネルリストを生成する（ステップＳ２０３）。
【００７８】
既存放送局情報管理部１４は、使用可能チャンネルリストを制御部１６に通知する（ステップＳ２０４）。
【００７９】
既存放送局情報管理部１４は、既存放送局情報データベース１４Ａを参照して、車両３が、地域Ａ内の上記車両３の位置（位置情報）から、複数の地域のうちの車両３の移動方向（移動情報）にある地域Ｂに、車両３の移動速度（速度情報）により移動する際に、地域Ｂでチャンネルａが使用できなくなるチャンネル切替タイミング（時刻）を算出する（ステップＳ２０５）。ここで、車両３の移動速度が一定（予め決められた速度）である場合は、車両３の移動速度（速度情報）として設定値が用いられる。
【００８０】
既存放送局情報管理部１４は、制御部１６に対して、チャンネル切替タイミング（時刻）を通知する（ステップＳ２０６）。
【００８１】
制御部１６は、既存放送局情報管理部１４からの使用可能チャンネルリストの候補チャンネルのうちの１つのチャンネルの番号として、例えば、チャンネルｂのチャンネル番号を選択する（ステップＳ２０７）。
【００８２】
制御部１６は、使用チャンネルとしてチャンネルｂを既存放送局情報管理部１４に通知する（ステップＳ２０８）。ここで、既存放送局情報管理部１４は、使用チャンネルの切替要否判断のため、使用するチャンネルを把握しておく。
【００８３】
制御部１６は、チャンネル切替用ＢＭＬ記憶部１５に対して、差し替え用ＢＭＬ文書（ＢＭＬ文書のテンプレート）の取得を要求し（ステップＳ２０９）、チャンネル切替用ＢＭＬ記憶部１５から差し替え用ＢＭＬ文書を取得する（ステップＳ２１０）。具体的には、制御部１６は、チャンネル切替促進情報として、変更後のチャンネル、変更する時刻をパラメータで指定し、差し替え用のＢＭＬを取得する。
【００８４】
制御部１６は、ＴＳ合成部１７に対して、差し替え用ＢＭＬ文書を設定する（ステップＳ２１１）。ここで、差し替えＢＭＬ文書には、指定時刻に、物理チャンネル指定選局関数を実行し、強制的に受信機２Ａの使用チャンネルを切り替える記述がされている。
【００８５】
制御部１６は、更新用ＮＩＴを生成する（ステップＳ２１２）。具体的には、制御部１６は、チャンネル切替促進情報として、地上分配システム記述子に変更後のチャンネルの周波数を追加記載したＮＩＴを生成する。
【００８６】
制御部１６は、ＴＳ合成部１７に対して、更新用ＮＩＴを設定する（ステップＳ２１３）。
【００８７】
制御部１６は、ＴＳ合成部１７に対して、ＴＳ更新指示を行なう（ステップＳ２１４）。ここで、ＴＳ合成部１７は、ＴＳ更新指示により、設定された差し替え用ＢＭＬ文書、ＮＩＴを放送ＴＳに取り込み、以降の放送ＴＳは差し替え後の内容となる。ＴＳ送信部１８は、チャンネルａを使用して、上記チャンネル切替促進情報が付加された放送ＴＳを送信する。
【００８８】
制御部１６は、チャンネル切替タイミング（時刻）まで待つ（ステップＳ２１５）。ここで、チャンネル切替タイミング（時刻）が来るまで（ステップＳ２１５−Ｎｏ）、ステップＳ２１５が実行される。
【００８９】
チャンネル切替タイミング（時刻）が来たとき（ステップＳ２１５−Ｙｅｓ）、制御部１６は、使用チャンネルをチャンネルａからチャンネルｂに変更する（ステップＳ２１６）。ここで、ＢＭＬ文書に対応している受信機２Ａは、放送ＴＳに付加されたチャンネル切替促進情報として、データ放送の差し替え用ＢＭＬ文書の記述に従って、指定時刻に物理チャンネル指定選局関数を実行し、指定チャンネル（チャンネルｂ）を選局する。ＢＭＬ文書に対応していない受信機２Ｂは、受信中の放送が圏外となったときに、放送ＴＳに付加されたチャンネル切替促進情報として、ＮＩＴの地上分配システム記述子に従って、移動先（地域Ｂ）で使用するチャンネル（チャンネルｂ）を選局する。
【００９０】
制御部１６は、ＴＳ合成部１７に対して、ＴＳ更新指示を行なう（ステップＳ２１７）。ここで、ＴＳ合成部１７は、使用チャンネル変更後のＴＳ更新指示により、ＢＭＬ文書を差し替え前のＢＭＬ文書に戻す。
【００９１】
制御部１６は、更新用ＮＩＴを生成する（ステップＳ２１８）。具体的には、制御部１６は、ＮＩＴの地上分配システム記述子から変更前のチャンネル（チャンネルａ）の周波数の記載を削除したＮＩＴを生成する。また、ステップＳ２１８は、ステップＳ２１６の後、一定時間（数秒）経過後に行なってもよい。また、ステップＳ２１８は、ステップＳ２１７と同時に行なってもよい。
【００９２】
制御部１６は、ＴＳ合成部１７に対して、更新用ＮＩＴを設定する（ステップＳ２１９）。
【００９３】
制御部１６は、ＴＳ合成部１７に対して、ＴＳ更新指示を行なう（ステップＳ２２０）。ここで、ＴＳ合成部１７は、ＴＳ更新指示により、設定されたＮＩＴを放送ＴＳに取り込み、ＴＳ送信部１８は、放送ＴＳを送信する。
【００９４】
図５は、既存放送局情報管理部１４の既存放送局情報データベース１４Ａに格納された情報を表す図である。
【００９５】
上述のように、既存放送局情報データベース１４Ａには、放送局毎に位置（北緯・東経）と、使用チャンネルの番号と、出力の値と、放送範囲とが格納されている。放送範囲は円形と仮定し、半径の距離（エリア半径）で表される。
【００９６】
上述のように、既存放送局情報データベース１４Ａには、更に、放送局を識別する放送局ＩＤと、地域単位で割り当てられ、その地域を識別するエリアＩＤとが格納され、現在地の位置情報から検索すべき放送局ＩＤの絞り込みを可能としてもよい。このため、既存放送局情報管理部１４は、現在地がどのエリアＩＤに属するかを判定する機能や、各エリアＩＤがどのエリアＩＤと隣接しているかの情報を有することもできる。
【００９７】
図５に示される既存放送局情報データベース１４Ａは一例であるが、全国を使用されているチャンネルが同一のブロックに分割し、それぞれのエリアで使用可能なチャンネルを記載するような構成としてもよい。
【００９８】
図６は、本発明の実施形態に係る移動放送局装置１の動作として、（動作Ｉ）及び（動作ＩＩ）において、放送開始指示が行なわれてからチャンネル切替が行なわれるまでの動作を示すフローチャートである。
【００９９】
（動作Ｉ）において、移動放送局装置１は、現在の車両３の位置、移動方向、移動速度（例えば、平均移動速度）を取得する（ステップＳ３０１）。移動放送局装置１は、現在の車両３の位置、移動方向、移動速度から、既存放送局情報データベース１４Ａを参照して、現在の車両３の位置より半径ｘｍの地域（地域Ａ）で未使用のチャンネル（候補チャンネル）を抽出する（ステップＳ３０２）。移動放送局装置１は、候補チャンネルのうちの１つのチャンネル（チャンネルａ）を選択する（ステップＳ３０３）。
【０１００】
（動作ＩＩ）において、移動放送局装置１は、車両３の位置、移動方向、移動速度を取得する（ステップＳ３０４）。移動放送局装置１は、車両３の位置、移動方向、移動速度から、既存放送局情報データベース１４Ａを参照して、現在の車両３の位置より半径ｘｍの地域で、現在使用のチャンネル（チャンネルａ）が存在するか否かを判断する（ステップＳ３０５）。現在使用のチャンネル（チャンネルａ）が存在しない場合（ステップＳ３０５−Ｎｏ）、ステップＳ３０４が実行される。
【０１０１】
現在使用のチャンネル（チャンネルａ）が存在する場合（ステップＳ３０５−Ｙｅｓ）、移動放送局装置１は、チャンネル使用エリア（地域Ｂ）に到達するまでの到達時間がｙ分以内である否かを判断する（ステップＳ３０６）。ここで、移動放送局装置１は、ｙを、移動方向と移動速度とに基づいて算出する。ｙは１〜２分程度とする。到達時間がｙ分以内ではない場合（ステップＳ３０６−Ｎｏ）、ステップＳ３０４が実行される。
【０１０２】
到達時間がｙ分以内である場合（ステップＳ３０６−Ｙｅｓ）、移動放送局装置１は、現在の車両３の位置、移動方向、移動速度から、既存放送局情報データベース１４Ａを参照して、現在の車両３の位置より半径ｘｍの地域（地域Ｂ）で未使用のチャンネル（候補チャンネル）を抽出する（ステップＳ３０７）。移動放送局装置１は、候補チャンネルのうちの１つのチャンネル（チャンネルｂ）を選択する（ステップＳ３０８）。
【０１０３】
図７は、本発明の実施形態に係る移動放送局装置１、及び、受信機２（受信機２Ａ、２Ｂ）の動作として、（動作Ｉ）〜（動作ＩＩＩ）において、使用チャンネルがチャンネルａからチャンネルｂに変更されるまでの動作を示すシーケンス図である。
【０１０４】
（動作Ｉ）において、移動放送局装置１は、チャンネルａを使用して、放送ＴＳを送信する（ステップＳ４０１、Ｓ４０２）。このとき、受信機２Ａ、２Ｂは、チャンネルａを使用して、放送ＴＳを受信する（チャンネルａ視聴処理）。チャンネルａ視聴処理において、受信機２Ａ、２Ｂのユーザーは、放送ＴＳの放送コンテンツを視聴することができる。
【０１０５】
移動放送局装置１は、現在の車両３の位置、移動方向、移動速度から、既存放送局情報データベース１４Ａを参照して、現在使用中のチャンネル（チャンネルａ）が継続して使用可能であるか否かを判断する（ステップＳ４０３）。ここで、継続使用可能である場合（ステップＳ４０３−Ｙｅｓ）、上記ステップＳ４０３が実行される。
【０１０６】
継続使用可能ではない場合（ステップＳ４０３−Ｎｏ）、すなわち、（動作Ｉ）から（動作ＩＩ）に移行した場合、移動放送局装置１は、チャンネル切替促進情報として、ＮＩＴを更新し（地上分配システム記述子に変更後のチャンネルの周波数を追加記載したＮＩＴを生成し）、ＢＭＬ文書を差し替える（変更後のチャンネル、変更する時刻をパラメータで指定し、差し替え用のＢＭＬを取得する）（ステップＳ４０４）。移動放送局装置１は、上記チャンネル切替促進情報を放送ＴＳに付加して送信する（ステップＳ４０５、Ｓ４０６）。このとき、ＢＭＬ文書に対応している受信機２Ａは、更新ＢＭＬ文書（差し替え用ＢＭＬ文書）を取得したことを受信機２Ａの表示部２３に表示する（ステップＳ４１１）。また、ＢＭＬ文書に対応していない受信機２Ｂは、ＮＩＴの更新を検知し、切替先チャンネル（チャンネルｂ）の情報であるＮＩＴの地上分配システム記述子を保持する（ステップＳ４１４）。
【０１０７】
移動放送局装置１、及び、受信機２Ａは、チャンネル切替タイミング（時刻）まで待つ（ステップＳ４０７、Ｓ４１２）。ここで、チャンネル切替タイミング（時刻）が来るまで（ステップＳ４０７−Ｎｏ、Ｓ４１２−Ｎｏ）、ステップＳ４０７、Ｓ４１２が実行される。
【０１０８】
チャンネル切替タイミング（時刻）が来たとき（ステップＳ４１２−Ｙｅｓ）、受信機２Ａは、放送ＴＳに付加されたチャンネル切替促進情報として、データ放送の差し替え用ＢＭＬ文書の記述に従って、指定時刻に物理チャンネル指定選局関数を実行し、使用チャンネルをチャンネルａからチャンネルｂに変更する（ステップＳ４１３）。
【０１０９】
また、チャンネル切替タイミング（時刻）が来たとき（ステップＳ４０７−Ｙｅｓ）、移動放送局装置１は、使用チャンネルをチャンネルａからチャンネルｂに変更し、ＢＭＬ文書を差し替え前のＢＭＬ文書に戻し、ＮＩＴの更新（ＮＩＴの地上分配システム記述子から変更前のチャンネルａの周波数の記載を削除したＮＩＴの生成）を行なう（ステップＳ４０８）。
【０１１０】
（動作ＩＩＩ）において、移動放送局装置１は、チャンネルｂを使用して、放送ＴＳを送信する（ステップＳ４０９、Ｓ４１０）。このとき、受信機２Ａは、チャンネルｂを使用して、放送ＴＳを受信する（チャンネルｂ視聴処理）。チャンネルｂ視聴処理において、受信機２Ａのユーザーは、放送ＴＳの放送コンテンツの視聴を継続することができる。
【０１１１】
受信機２Ｂは、チャンネルａにより受信不可となったとき、すなわち、受信中の放送が圏外となったとき（ステップＳ４１５）、放送ＴＳに付加されたチャンネル切替促進情報として、ＮＩＴの地上分配システム記述子に従って、使用チャンネルをチャンネルａからチャンネルｂに変更する（ステップＳ４１６）。このとき、受信機２Ｂは、チャンネルｂを使用して、放送ＴＳを受信する（チャンネルｂ視聴処理）。チャンネルｂ視聴処理において、受信機２Ｂのユーザーは、放送ＴＳの放送コンテンツの視聴を継続することができる。
【０１１２】
なお、本実施形態では、使用チャンネルの切替時刻をＢＭＬ文書で指定しているが、ＢＭＬ文書に対応した受信機２（受信機２Ａ）に対しては、以下の２つの方法でチャンネル切替を促すこともできる。第１の方法としては、受信機２Ａが位置情報を取得できる場合は、受信機２Ａ自身の位置情報が特定の条件を満たした場合、使用チャンネルを切り替える。第２の方法としては、放送局（移動放送局装置１）が使用チャンネルを切り替える前にイベントメッセージを放送ＴＳに挿入し、受信機２Ａに使用チャンネルの切替を促す。
【０１１３】
図８は、本発明の実施形態に係る移動放送局装置１におけるＢＭＬ文書更新処理（ＴＳ合成部１７の処理）を説明するための図である。
【０１１４】
ＴＳ合成部１７は、コンテンツ記憶部１３に記憶された通常放送用のＢＭＬ文書から作成するＤＩＩ（ｄｏｗｎｌｏａｄ  ｉｎｆｏｒｍａｔｉｏｎ  ｉｎｄｏｃａｔｏｒ：ダウンロード情報表示）、ＤＤＢ（ｄｏｗｎｌｏａｄ  ｄａｔａ  ｂｌｏｃｋ：ダウンロードデータブロック）を適切にＴＳパケット化し、放送ＴＳに配置する。ＢＭＬ文書更新時は、制御部１６から設定された差し替え用のＢＭＬ文書からＤＩＩ、ＤＤＢを生成し、それまで配置していたＰＩＤと同じＰＩＤのＴＳパケットを差し替える。
【０１１５】
具体的には、図８に示されるように、まず、ＴＳ合成部１７は、読み込んだファイルからＤＩＩ（ダウンロード情報）を生成し、ダウンロードデータをＤＤＢの形式に変換する。ここで、ＤＩＩは、図８に示される「ＰＩＤ＝ａ」のＴＳパケット、ＤＤＢは、図８に示される「ＰＩＤ＝ｂ」のＴＳパケットに配置される（１パケット長に収まらない場合は分割される）。なお、図８に示される「・・・」の区間は映像データ、音声データ、ＰＳＩ／ＳＩ等のＴＳパケットが複数個配置される。ＴＳ合成部１７では、上記手順で、データ放送用のデータを放送ＴＳ内に配置する。ＴＳ差し替え前に使用していたＰＩＤのＴＳパケットが差し替えられる。
【０１１６】
図９は、本発明の実施形態に係る移動放送局装置１におけるＮＩＴの地上分配システム記述子を説明するための図である。
【０１１７】
非特許文献２によれば、ＮＩＴには、放送ＴＳの周波数（チャンネル）を記載する「地上分配システム記述子」があり、その「地上分配システム記述子」は、「descriptor_tag」、「descriptor_length」、「area_code」、「guard_interval」、「transmission_mode」、「frequency」を含んでいる。
【０１１８】
「descriptor_tag」は、地上分配システム記述子を識別するためのＩＤを示している。「descriptor_length」は、記述子長を示している。「area_code」は、当該放送ＴＳのサービスエリアのコードを示している。「area_code」に関しては、本発明が適用される移動送信局装置１ではエリアは固定されないため、「don't care」となる（「0xfff」等で固定する）。「guard_interval」は、当該放送ＴＳのガードインターバル長を示している。「transmission_mode」は、当該放送ＴＳの伝送モードを示している。
【０１１９】
「frequency」は、当該放送ＴＳが放送されている各周波数を示し、このフィールドに使用中のチャンネルの周波数が記載される。本実施形態では、「frequency」には、最初に、チャンネルａの周波数が記載され、次に、チャンネルａ及びチャンネルｂの周波数が記載され、使用チャンネル変更後は、「frequency」のチャンネルａの記載を削除し、チャンネルｂの周波数の記載を残す。
【０１２０】
以上の説明により、本発明によれば、移動放送局装置１が、地域Ａから移動先の地域Ｂに移動するタイミングで受信機２Ａ、２Ｂがチャンネルａから地域Ｂを放送エリアとする放送局により使用されていないチャンネルｂに切り替えるためのチャンネル切替促進情報を放送ＴＳに付加することにより、移動放送局装置１と受信機２Ａ、２Ｂとが移動経路（地域Ｂ）上で使用されているチャンネル（チャンネルａ）を避けながら移動体により移動するので、移動先（地域Ｂ）での既存の放送局との混信（放送波の衝突）を回避しながら放送サービスを提供することができる。
【０１２１】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【０１２２】
１…移動放送局装置、２、２Ａ、２Ｂ…受信機、３…車両、１１…位置検出部、１２…ユーザーインターフェース部、１３…コンテンツ記憶部、１４…既存放送局情報管理部、１４Ａ…既存放送局情報データベース、１５…チャンネル切替用ＢＭＬ記憶部、１６…制御部、１７…ＴＳ合成部、１８…ＴＳ送信部
【図１】
2016092598.tif 000003
【図２】
2016092598.tif 000004
【図３】
2016092598.tif 000005
【図４】
2016092598.tif 000006
【図５】
2016092598.tif 000007
【図６】
2016092598.tif 000008
【図７】
2016092598.tif 000009
【図８】
2016092598.tif 000010
【図９】
2016092598.tif 000011